(57)【要約】【課題】車両のエアベント装置を、車両の状態に応じて好適に開閉できるようにする。【解決手段】車両１の車室４に対して設けられるエアベント装置１０は、車室４の内外での通気を可能にする開口部１５，１６が形成される本体１１と、開口部１５，１６を閉じる閉部材１９，２０と、を有する。閉部材１９，２０は、本体１１の外面において開口部１５，１６の上側に取り付けられて、開口部１５，１６を開閉するように可動可能に設けられる。本体１１は、開口部１５，１６を傾けるように車両１に対して可動可能に設けられる。【選択図】  図２
2019119334.tif 000002
【特許請求の範囲】
【請求項１】
車両の車室に対して設けられるエアベント装置であって、
前記車室の内外での通気を可能にする開口部が形成される本体と、
前記開口部を閉じる閉部材と、
を有し、
前記閉部材は、前記本体の外面において前記開口部の上側に取り付けられ、前記開口部を開閉するように可動可能に設けられ、
前記本体は、前記開口部を傾けるように前記車両に対して可動可能に設けられる、
車両のエアベント装置。
【請求項２】
前記本体は、前記開口部を外側へ傾くように可動可能である、
請求項１記載の車両のエアベント装置。
【請求項３】
前記本体は、前記開口部を内側へ傾くように可動可能である、
請求項１または２記載の車両のエアベント装置。
【請求項４】
前記本体の外面には、前記開口部の周囲に、少なくとも前記開口部の左右両側および下側を囲うリブ部が形成され、
前記リブ部の先端周縁が前記閉部材と接することにより前記閉部材は前記開口部を閉じる、
請求項１から３のいずれか一項記載の車両のエアベント装置。
【請求項５】
前記閉部材は、可撓材料により、前記リブ部の先端周縁より一回り大きなサイズの板状に形成される、
請求項４記載の車両のエアベント装置。
【請求項６】
前記本体には、前記開口部として、第一開口部および第二開口部が形成され、
前記閉部材として、前記第一開口部を開閉するように可動可能に設けられる第一閉部材と、前記第二開口部を開閉するように可動可能に設けられる第二閉部材と、を有し、
前記第一開口部の周囲を囲うように設けられた第一リブ部および前記第二開口部の周囲を囲うように設けられた第二リブ部の中の少なくとも一方のリブ部、を有し、
前記第一閉部材と前記第二閉部材とは、前記本体についての異なる傾斜角度において各々の開口部を開く、
請求項１から３のいずれか一項記載の車両のエアベント装置。
【請求項７】
前記本体を可動するアクチュエータと、前記アクチュエータを用いた前記本体の可動を制御する制御部と、を有し、
前記制御部は、
前記車両のドアロックを解除した開状態、
前記車両の空調装置が外気を導入する状態、
前記車両が停車している状態、
前記車両のシフトレバーがパーキングレンジに設定されている状態、および
風により前記車両が傾斜していない状態、
の中の少なくとも一つの状態において、前記本体を可動させて外側の傾斜位置に設定する、
請求項２記載の車両のエアベント装置。
【請求項８】
前記本体を可動するアクチュエータと、前記アクチュエータを用いた前記本体の可動を制御する制御部と、を有し、
前記制御部は、
前記車両のドアロックを施錠した閉状態、
前記車両の空調装置が外気を導入しない内気循環の状態、
前記車両が走行している状態、
前記車両のシフトレバーがドライブレンジに設定されている状態、
前記車両がアイドリングしながら停車している状態、
前記車両が悪路を走行している場合、
風により前記車両が傾斜している状態、および
前記車両が傾斜した状態で停車している状態、
の中の少なくとも一つの状態において、前記本体を可動させて内側の傾斜位置に設定する、
請求項３記載の車両のエアベント装置。
【請求項９】
前記本体を可動するアクチュエータと、前記アクチュエータによる前記本体の可動を制御する制御部と、を有し、
前記制御部は、
前記車両の状態に応じて前記本体を可動させて、
前記本体を、初期位置、外側へ傾けて前記第一開口部および前記第二開口部の中の一方のみを開く位置、外側へ傾けて前記第一開口部および前記第二開口部の双方を開く位置、内側へ傾けて前記第一開口部および前記第二開口部を開き難くする位置、の間で切り替える、
請求項６記載の車両のエアベント装置。
【発明の詳細な説明】
【技術分野】
【０００１】
本発明は、自動車などの車両のエアベント装置に関する。
【背景技術】
【０００２】
自動車では、エアベント装置が設けられる。特許文献１では、車室のドア後側に、車室の内外での通気を可能にするアウトレットバルブ装置を設ける。
【先行技術文献】
【特許文献】
【０００３】
【特許文献１】特開２００１−２３９８２３号公報
【発明の概要】
【発明が解決しようとする課題】
【０００４】
ところで、このように車両の車室に対して設けられるエアベント装置は、ドアの開閉などの際に車室の内圧が高くなることを抑制するために設けられている。このため、一般的にはゴムなどの可撓材料を用いた板材を用いて、エアベント装置の開口部を塞いでいる。
しかしながら、可撓性を有する板材を用いてエアベント装置の開口部を塞いだ場合、エアベント装置が開閉する条件は、板材の柔らかさや厚さ（重さ）などにより物理的に一義的に決まってしまうことになる。このため、車両の状態によっては、エアベント装置が必ずしも望ましい開閉状態にはならない可能性がある。たとえば車外の排気ガスや音の侵入を抑制したい状態であるにもかかわらず、エアベント装置が開いてしまう可能性がある。
【０００５】
このように、車両のエアベント装置では、車両の状態に応じて好適に開閉できるようにすることが望まれている。
なお、車両の各種の状態に応じてエアベント装置の開閉を制御するために、板材をアクチュエータにより開閉駆動することが考えられる。しかしながら、この場合には、たとえばドアを閉じる際に、それによる車室の内圧が高くなったことを検出し、その後に開閉の制御を開始することになる。よって、内圧を抑制する制御応答に、必然的な遅れが生じてしまうことになる。ドアを閉じた際の通気開始が、アクチュエータにより開閉駆動をしない場合と比べて、遅れてしまう可能性がある。
【課題を解決するための手段】
【０００６】
本発明に係る車両のエアベント装置は、車両の車室に対して設けられるエアベント装置であって、前記車室の内外での通気を可能にする開口部が形成される本体と、前記開口部を閉じる閉部材と、を有し、前記閉部材は、前記本体の外面において前記開口部の上側に取り付けられ、前記開口部を開閉するように可動可能に設けられ、前記本体は、前記開口部を傾けるように前記車両に対して可動可能に設けられる。
【０００７】
好適には、前記本体は、前記開口部を外側へ傾くように可動可能である、とよい。
【０００８】
好適には、前記本体は、前記開口部を内側へ傾くように可動可能である、とよい。
【０００９】
好適には、前記本体の外面には、前記開口部の周囲に、少なくとも前記開口部の左右両側および下側を囲うリブ部が形成され、前記リブ部の先端周縁が前記閉部材と接することにより前記閉部材は前記開口部を閉じる、とよい。
【００１０】
好適には、前記閉部材は、可撓材料により、前記リブ部の先端周縁より一回り大きなサイズの板状に形成される、とよい。
【００１１】
好適には、前記本体には、前記開口部として、第一開口部および第二開口部が形成され、前記閉部材として、前記第一開口部を開閉するように可動可能に設けられる第一閉部材と、前記第二開口部を開閉するように可動可能に設けられる第二閉部材と、を有し、前記第一開口部の周囲を囲うように設けられた第一リブ部および前記第二開口部の周囲を囲うように設けられた第二リブ部の中の少なくとも一方のリブ部、を有し、前記第一閉部材と前記第二閉部材とは、前記本体についての異なる傾斜角度において各々の開口部を開く、とよい。
【００１２】
好適には、前記本体を可動するアクチュエータと、前記アクチュエータを用いた前記本体の可動を制御する制御部と、を有し、前記制御部は、前記車両のドアロックを解除した開状態、前記車両の空調装置が外気を導入する状態、前記車両が停車している状態、前記車両のシフトレバーがパーキングレンジに設定されている状態、および風により前記車両が傾斜していない状態、の中の少なくとも一つの状態において、前記本体を可動させて外側の傾斜位置に設定する、とよい。
【００１３】
好適には、前記本体を可動するアクチュエータと、前記アクチュエータを用いた前記本体の可動を制御する制御部と、を有し、前記制御部は、前記車両のドアロックを施錠した閉状態、前記車両の空調装置が外気を導入しない内気循環の状態、前記車両が走行している状態、前記車両のシフトレバーがドライブレンジに設定されている状態、前記車両がアイドリングしながら停車している状態、前記車両が悪路を走行している場合、風により前記車両が傾斜している状態、および前記車両が傾斜した状態で停車している状態、の中の少なくとも一つの状態において、前記本体を可動させて内側の傾斜位置に設定する、とよい。
【００１４】
好適には、前記本体を可動するアクチュエータと、前記アクチュエータによる前記本体の可動を制御する制御部と、を有し、前記制御部は、前記車両の状態に応じて前記本体を可動させて、前記本体を、初期位置、外側へ傾けて前記第一開口部および前記第二開口部の中の一方のみを開く位置、外側へ傾けて前記第一開口部および前記第二開口部の双方を開く位置、内側へ傾けて前記第一開口部および前記第二開口部を開き難くする位置、の間で切り替える、とよい。
【発明の効果】
【００１５】
本発明では、本体の外面についての開口部の上側に取り付けられて、開口部を開閉するように可動可能に設けられた閉部材を用いて、開口部を閉じる。よって、たとえば車室の内圧が高くなると、それに基づいて開口部が即座に開くことができる。開閉を制御する場合における応答遅れなどが生じない。
しかも、エアベント装置の本体は、開口部を傾けるように車両に対して可動可能に設けられている。よって、本体を可動させて開口部を傾けることにより、車室の内外において圧力差が生じていない状態での、閉部材による開口部の閉塞状態を変化させることができる。車両の状態に応じて、好適に開閉を調整することができる。
たとえば、開口部を、傾ける前の初期状態から外側へ傾くように本体を可動可能とすることにより、本体を可動させた状態では、閉部材と本体との間を開けることができる。これにより、車室の内外において圧力差が生じていない場合でも、車室の内外で通気可能となる。
この他にもたとえば、開口部を、傾ける前の初期状態から内側へ傾くように本体を可動可能とすることにより、本体を可動させた状態では、開口部の上に閉部材を乗せるようにすることができる。これにより、車室の内外において圧力差が生じている場合でも、閉部材と本体との間が空き難くなる。
しかも、閉部材は、本体の外面についての開口部の上側に取り付けられている。よって、本体を可動させていない状態においては閉部材により開口部を閉じることができ、閉部材による開口部の閉塞機能を損なわない。
このように本体を可動可能とすることにより、たとえば遮音性能と通気性能とを高いレベルで両立させることなどが可能になる。
【図面の簡単な説明】
【００１６】
【図１】図１は、本発明のエアベント装置が適用される自動車の説明図である。
【図２】図２は、本発明の第１実施形態に係るエアベント装置の構成の説明図である。
【図３】図３は、図２の本体の正面図である。
【図４】図４は、本発明の第２実施形態に係るエアベント装置の本体の側断面図である。
【発明を実施するための形態】
【００１７】
以下、本発明の実施形態を、図面に基づいて説明する。
【００１８】
［第１実施形態］
図１は、本発明のエアベント装置１０が適用される自動車１の説明図である。自動車１は、車両の一例である。
図１の自動車１は、車体２を有する。車体２には、乗員がドア３を開閉して乗降する車室４が画成される。
ところで、乗降のためにドア３を閉じる開閉する場合、ドア３の開閉により車室４の内圧が高くなることがある。この車室４の内圧上昇を抑制するために、自動車１には、エアベント装置１０が設けられる。
【００１９】
図２は、本発明の第１実施形態に係るエアベント装置１０の構成の説明図である。
図２のエアベント装置１０は、本体１１、第一閉部材１９、第二閉部材２０、アクチュエータ２１、制御部２３、センサ群２２、を有する。
【００２０】
図３は、図２の本体１１を外側から見た正面図である。
また、図２において本体１１は、縦断面図により図示されている。
【００２１】
本体１１は、略矩形形状の枠部１２、枠部１２の内側を塞ぐ板状の閉塞部１３、枠部１２の外周に沿って形成されるフランジ部１４、を有する。本体１１は、たとえばフランジ部１４が乗員室の側面と重なる状態で、車室４の側面に形成された貫通孔５に嵌められる。図２において本体１１の左側が車室側となる内側であり、右側が車外となる外側である。また、図１では、エアベント装置１０の本体１１は、車体２の側面についての、後バンパー部材６の内側となる位置に設けられている。
板状の閉塞部１３は、図２に示すように、枠部１２についての内側に沿って、外下側へ向けて若干傾斜した段付き形状に形成される。これにより、略矩形形状の枠部１２の内側は閉塞される。車室４は、車外から隔離された空間となり得る。
板状の閉塞部１３には、第一開口部１５、第二開口部１６、が開設される。第一開口部１５は、板状の閉塞部１３の上部において略四角形形状に形成される。第二開口部１６は、板状の閉塞部１３の下部において略四角形形状に形成される。第一開口部１５と第二開口部１６とは、板状の閉塞部１３において上下方向に並べて形成される。
【００２２】
板状の閉塞部１３の外面には、第一リブ部１７、第二リブ部１８、が立設される。
第一リブ部１７は、略四角形形状の第一開口部１５の左右両側および下側を囲うように略コの字形状に形成される。第一リブ部１７についての左右両側の部分は、上側を頂点とする略三角形形状に形成される。これにより、第一リブ部１７についての左右両側の部分は、上側で小さく、下側になるにつれて大きくなる傾斜面に形成される。第一リブ部１７についての下側の部分は、左右両側の部分の下端と同じ高さに形成される。
第二リブ部１８は、略四角形形状の第二開口部１６の左右両側および下側を囲うように略コの字形状に形成される。第二リブ部１８についての左右両側の部分は、上側を頂点とする略三角形形状に形成される。これにより、第二リブ部１８についての左右両側の部分は、上側で小さく、下側になるにつれて大きくなる傾斜面に形成される。第二リブ部１８についての下側の部分は、左右両側の部分の下端と同じ高さに形成される。
そして、本実施形態では、第一リブ部１７についての左右両側の部分による傾斜面と、第二リブ部１８についての左右両側の部分による傾斜面とは、鉛直方向に対して同じ角度で傾斜している。
なお、第一リブ部１７は、第一開口部１５の周囲全体を囲うように形成されてもよい。第二リブ部１８は、第二開口部１６の周囲全体を囲うように形成されてもよい。
【００２３】
第一閉部材１９は、ゴムなどの可撓材料を用いて、第一リブ部１７の先端周縁より一回り大きいサイズの略四角形の板状に形成される。そして、略四角形の板状の第一閉部材１９の上縁部分は、第一開口部１５の上側において閉塞部１３の外面に固定される。これにより、第一閉部材１９は、自重で垂れ下がった状態において第一リブ部１７の先端周縁と全体的に接し、第一リブ部１７とともに第一開口部１５を外側から塞ぐことができる。また、第一閉部材１９の下縁部分が外側へ撓むことにより、第一閉部材１９と第一リブ部１７との間に空間が形成される。この隙間を通じて、車室４の内外が通気可能になる。
第二閉部材２０は、ゴムなどの可撓材料を用いて、第二リブ部１８の先端周縁より一回り大きいサイズの略四角形の板状に形成される。そして、略四角形の板状の第二閉部材２０の上縁部分は、第二開口部１６の上側において閉塞部１３の外面に固定される。これにより、第二閉部材２０は、自重で垂れ下がった状態において第二リブ部１８の先端周縁と全体的に接し、第二リブ部１８とともに第二開口部１６を外側から塞ぐことができる。また、第二閉部材２０の下縁部分が外側へ撓むことにより、第二閉部材２０と第二リブ部１８との間に空間が形成される。この隙間を通じて、車室４の内外が通気可能になる。
たとえば、ドア３の開閉により車室４の内圧が高くなると、それによる内外圧力差により第一閉部材１９および第二閉部材２０が外側へ撓む。これにより、車室４から空気を外へ逃がして、車室４の内圧が大きく上昇してしまうことを抑制できる。
【００２４】
ところで、このようにゴムなどの可撓材料を用いた板状の閉部材１９，２０を用いて開口部１５，１６を閉塞した場合、エアベント装置１０が開閉する条件は、板材の柔らかさ、厚さ、重さなどにより物理的に一義的に決まってしまうことになる。このため、自動車１の状態によっては、エアベント装置１０が必ずしも望ましい開閉状態にはならない可能性がある。たとえば車外の排気ガスや音の侵入を抑制したい状態であるにもかかわらず、エアベント装置１０が開いてしまう可能性がある。
このように、自動車１のエアベント装置１０では、自動車１の状態に応じて好適に開閉できるようにすることが望まれている。たとえばドア３を閉じる際には好適に開き、その他の場合にはなるべく閉じるようにすることが望まれる。閉部材１９，２０について厳しい条件が求められる。
なお、自動車１の各種の状態に応じてエアベント装置１０の開閉を制御するために、閉部材１９，２０をアクチュエータにより開閉駆動することが考えられる。しかしながら、この場合には、たとえばドア３を閉じる際に、それによる車室４の内圧が高くなったことをセンサで検出し、その後に開閉制御を開始することになる。よって、内圧を抑制する際において、必然的な制御応答の遅れが生じてしまうことになる。ドア３を閉じた際の通気開始が、アクチュエータ２１により開閉駆動をしない上述した場合と比べて、遅れてしまう可能性がある。
【００２５】
そこで、本実施形態では、エアベント装置１０の本体１１を、車体２に対して可動可能に設ける。具体的には、図２に示すように、枠部１２の下側を中心として、本体１１を内側方向および外側方向へ揺動可能に設ける。本体１１は、車体２の側面に沿って立つ初期位置から、車室４の内側へ傾いた内倒位置と、初期位置から車室４の外側へ傾いた外倒位置とに、可動する。
【００２６】
アクチュエータ２１は、本体１１を駆動する。
【００２７】
センサ群２２は、自動車１の状態を検出する。センサ群２２には、たとえばドアロックの解除や施錠を検出するセンサ、空調装置の動作モードを検出するモードセンサ、自動車１の走行や停止の状態を検出する振動センサやカメラ、車体２の傾斜状態を検出する角度センサなどがある。
【００２８】
制御部２３は、センサ群２２により検出された自動車１の状態に応じて、アクチュエータ２１を用いた本体１１の駆動を制御して、本体１１の姿勢を位置決めする。
【００２９】
次に、自動車１の状態に応じてエアベント装置１０の本体１１を駆動する制御について、具体例を説明する。
【００３０】
制御部２３は、以下に説明する特段の制御を必要としない通常の状態では、アクチュエータ２１を用いて本体１１を駆動して、本体１１を初期位置に位置決めする。この場合、第一閉部材１９および第二閉部材２０は各々の自重と車室４の内圧とのバランスに基づいて、内圧が高くなる場合などにおいて第一開口部１５および第二開口部１６を開くことができる。
【００３１】
そして、自動車１の状態として図示外のドアロックの解除がセンサ群２２により検出された場合、制御部２３は、アクチュエータ２１を用いて本体１１を駆動して、本体１１を外倒状態に位置決めする。これにより、図２に示すように、第一閉部材１９と第一リブ部１７との間に空間が形成され、第二閉部材２０と第二リブ部１８との間に空間が形成される。よって、その後にドア３が開閉され、ドア３を閉じる際においても、事前に開いた第一開口部１５および第二開口部１６から、車室４に閉じ込められる空気を逃がすことができる。第一閉部材１９および第二閉部材２０を開き難くなるように、たとえば重く形成していたとしても、車室４の内圧が高くならないようにできる。また、事前に第一開口部１５および第二開口部１６が開いているので、ドア３の開閉の際に閉部材１９，２０とリブ部１７，１８とが当たる音が発生し難くなる。
【００３２】
自動車１が停車している状態であることがセンサ群２２により検出された場合、制御部２３は、アクチュエータ２１を用いて本体１１を駆動して、本体１１を外倒状態に位置決めする。これにより、図２に示すように、第一閉部材１９と第一リブ部１７との間に空間が形成され、第二閉部材２０と第二リブ部１８との間に空間が形成される。よって、停車中の車内の空気を換気することができる。
【００３３】
自動車１の図示外のシフトレバーがパーキングレンジに設定されている状態であることがセンサ群２２により検出された場合、制御部２３は、アクチュエータ２１を用いて本体１１を駆動して、本体１１を外倒状態に位置決めする。これにより、図２に示すように、第一閉部材１９と第一リブ部１７との間に空間が形成され、第二閉部材２０と第二リブ部１８との間に空間が形成される。よって、パーキング中の車内の空気を換気することができる。
【００３４】
自動車１が風圧により傾斜していない状態であることがセンサ群２２により検出された場合、制御部２３は、アクチュエータ２１を用いて本体１１を駆動して、本体１１を外倒状態に位置決めする。これにより、図２に示すように、第一閉部材１９と第一リブ部１７との間に空間が形成され、第二閉部材２０と第二リブ部１８との間に空間が形成される。よって、傾斜していない車内の空気を換気することができる。
【００３５】
また、自動車１の状態としてドアロックの施錠がセンサ群２２により検出された場合、制御部２３は、アクチュエータ２１を用いて本体１１を駆動して、本体１１を内倒状態に位置決めする。これにより、図２に示すように、第一閉部材１９が第一リブ部１７の上に乗るようになり、第二閉部材２０が第二リブ部１８の上に乗るようになる。よって、第一開口部１５および第二開口部１６は、初期位置に本体１１がある場合よりも開き難くなる。車室４から空気が漏れ出し難くなる。第一閉部材１９および第二閉部材２０を開き易くするように、たとえば軽く形成していたとしても、車室４から空気が漏れ出難くなる。
【００３６】
自動車１の空調装置が外気を導入しない内気循環の状態であることがセンサ群２２により検出された場合、制御部２３は、アクチュエータ２１を用いて本体１１を駆動して、本体１１を内倒状態に位置決めする。これにより、図２に示すように、第一閉部材１９は第一リブ部１７の上に乗るようになり、第二閉部材２０は第二リブ部１８の上に乗るようになる。よって、第一開口部１５および第二開口部１６から、車室４の空気が漏れ出し難くなる。
【００３７】
自動車１が走行している状態であることがセンサ群２２により検出された場合、制御部２３は、アクチュエータ２１を用いて本体１１を駆動して、本体１１を内倒状態に位置決めする。これにより、図２に示すように、第一閉部材１９は第一リブ部１７の上に乗るようになり、第二閉部材２０は第二リブ部１８の上に乗るようになる。よって、走行中に、第一開口部１５および第二開口部１６から、車室４の外の空気が流れ込み難くなる。また、第一開口部１５および第二開口部１６が開き難くなるため、車外音が車内に入り込み難くなる。また、エグゾーストの排気圧力変動（低音）により閉部材１９，２０が揺れて浮いてしまうことが起き難くなる。
なお、制御部２３は、自動車１の速度が所定速度以上である場合において、本体１１を内倒状態に位置決めしてもよい。また、自動車１の速度が高いほど、本体１１を内側へ大きく内倒させるようにしてもよい。
【００３８】
自動車１のシフトレバーがドライブレンジに設定されている状態であることがセンサ群２２により検出された場合、制御部２３は、アクチュエータ２１を用いて本体１１を駆動して、本体１１を内倒状態に位置決めする。これにより、図２に示すように、第一閉部材１９は第一リブ部１７の上に乗るようになり、第二閉部材２０は第二リブ部１８の上に乗るようになる。よって、走行中に、第一開口部１５および第二開口部１６から、車室４の外の空気が流れ込み難くなる。また、走行中に他車などとすれ違い、そのすれ違により外気の圧力が変動する場合でも、第一開口部１５および第二開口部１６が開き難くなる。
【００３９】
自動車１がアイドリングしながら停車している状態であることがセンサ群２２により検出された場合、制御部２３は、アクチュエータ２１を用いて本体１１を駆動して、本体１１を内倒状態に位置決めする。これにより、図２に示すように、第一閉部材１９は第一リブ部１７の上に乗るようになり、第二閉部材２０は第二リブ部１８の上に乗るようになる。よって、第一開口部１５および第二開口部１６が不用意に開いて、アイドリング中の排気ガスが車室４の内側へ流れ込み難くなる。また、アイドリング中の排気音が、車室４の内側へ流れ込み難くなる
【００４０】
自動車１が悪路を走行している状態であることがセンサ群２２により検出された場合、制御部２３は、アクチュエータ２１を用いて本体１１を駆動して、本体１１を内倒状態に位置決めする。これにより、図２に示すように、第一閉部材１９は第一リブ部１７の上に乗るようになり、第二閉部材２０は第二リブ部１８の上に乗るようになる。よって、第一開口部１５および第二開口部１６が不用意に開いて、悪路を走行している最中に車室４の空気が漏れ出たり、外気やほこりが車室４の内側へ流れ込んだりし難くなる。
【００４１】
風により自動車１が傾斜している状態であることがセンサ群２２により検出された場合、制御部２３は、アクチュエータ２１を用いて本体１１を駆動して、本体１１を内倒状態に位置決めする。これにより、図２に示すように、第一閉部材１９は第一リブ部１７の上に乗るようになり、第二閉部材２０は第二リブ部１８の上に乗るようになる。よって、第一開口部１５および第二開口部１６が不用意に開いて、傾斜した状態において車室４の空気が漏れ出たり、外気が車室４の内側へ流れ込んだりし難くなる。
【００４２】
自動車１が傾斜した状態で駐停車している状態であることがセンサ群２２により検出された場合、制御部２３は、アクチュエータ２１を用いて本体１１を駆動して、本体１１を内倒状態に位置決めする。これにより、図２に示すように、第一閉部材１９は第一リブ部１７の上に乗るようになり、第二閉部材２０は第二リブ部１８の上に乗るようになる。よって、第一開口部１５および第二開口部１６が不用意に開いて、傾斜した状態において車室４の空気が漏れ出たり、アイドリング中の排気ガスや外気が車室４の内側へ流れ込んだりし難くなる。
【００４３】
以上のように、本実施形態では、本体１１の外面についての開口部１５，１６の上側に取り付けられて、可撓材料により可撓可能に形成され、自重で垂れ下がった状態において開口部１５，１６を閉じるように下縁部分が揺動可能に設けられた閉部材１９，２０を用いて、開口部１５，１６を閉じる。よって、たとえば車室４の内圧が高くなると、それに基づいて開口部１５，１６が即座に開くことができる。制御応答遅れなどは生じ難い。
しかも、エアベント装置１０の本体１１は、開口部１５，１６を傾けるように自動車１に対して可動可能に設けられている。よって、本体１１を可動させて開口部１５，１６を傾けることにより、車室４の内外において圧力差が生じていない初期状態での、閉部材１９，２０による開口部１５，１６の閉塞状態を変化させることができる。
【００４４】
たとえば、開口部１５，１６を、傾ける前の初期状態から外側へ傾くように本体１１を可動可能とすることにより、本体１１を可動させた状態では、閉部材１９，２０の下縁部分と本体１１との間を開けることができる。これにより、車室４の内外において圧力差が生じていない場合でも、車室４の内外で通気可能となる。
この他にもたとえば、開口部１５，１６を、傾ける前の初期状態から内側へ傾くように本体１１を可動可能とすることにより、本体１１を可動させた状態では、開口部１５，１６の上に閉部材１９，２０を乗せるようにすることができる。これにより、車室４の内外において圧力差が生じている場合でも、閉部材１９，２０の下縁部分と本体１１との間が空き難くなる。
【００４５】
しかも、閉部材１９，２０は、可撓材料により可撓可能に形成されて、上縁部分が本体１１の外面についての開口部１５，１６の上側に取り付けられるので、本体１１を可動させていない初期状態においては、自重で垂れ下がった状態において開口部１５，１６を閉じることができる。初期状態において、閉部材１９，２０による開口部１５，１６の閉塞機能を損なわない。
このように本体１１を可動可能とすることにより、たとえば遮音性能と通気性能とを高いレベルで両立させることなどが可能になる。
【００４６】
本実施形態では、本体１１の外面には、開口部１５，１６の周囲に、少なくとも開口部１５，１６の左右両側および下側を囲うリブ部１７，１８が形成される。そして、閉部材１９，２０は、リブ部１７，１８の先端周縁が閉部材１９，２０と全体的に接することにより開口部１５，１６を閉じる。これにより、閉部材１９，２０は、閉じた状態においてリブ部１７，１８の先端周縁と線状に接することになる。閉部材１９，２０は、本体１１を傾けた状態においても、本体１１を立てた初期状態と同様に開閉し易くなる。
これに対して、閉じた状態の閉部材１９，２０が、仮にたとえば本体１１の外面と面状に接する場合、閉部材１９，２０の外周部分と本体１１とが密着し易くなる。そして、閉部材１９，２０と本体１１とが密着する場合、本体１１をたとえば内側へ傾けた状態では、本体１１を立てた初期状態よりも開き難くなる。逆に、本体１１をたとえば外側へ傾けた状態では、本体１１を立てた初期状態よりも完全に閉じ難くなる。本体１１を傾けた場合の開閉性能として、本体１１を立てた場合と同等のものを得ることが難しくなる。
【００４７】
本実施形態では、可撓材料により略板状に形成される閉部材１９，２０は、リブ部１７，１８の先端周縁より一回り大きなサイズに形成される。よって、閉部材１９，２０を可撓材料により略板状に形成しているにもかかわらず、本体１１を傾けた状態においても、閉部材１９，２０が撓んでリブ部１７，１８の内側へ入り込んだり、はまったりし難くなる。
しかも、閉部材１９，２０がリブ部１７，１８の先端周縁より一回り大きなサイズに形成されることにより、閉部材１９，２０は、本体１１の傾斜状態にかかわらず、リブ部１７，１８の先端周縁と線状に接することができる。
【００４８】
上記実施形態では、初期状態において閉部材１９，２０は自重で垂れ下がった状態において開口部１５，１６を閉じている。この他にもたとえば、初期状態において自重で垂れ下がる閉部材１９，２０が開口部１５，１６との間を開けたり、開口部１５，１６の上に乗ったりしてもよい。
そして、初期状態において自重で垂れ下がる閉部材１９，２０が開口部１５，１６との間を開ける場合において、本体１１は、傾けない状態を超えて、開口部１５，１６の上に閉部材１９，２０が乗るように開口部１５，１６を内側へ傾けるように可動可能とされてもよい。
また、初期状態において自重で垂れ下がる閉部材１９，２０が開口部１５，１６の上に乗る場合において、本体１１は、傾けない状態を超えて、閉部材１９，２０と開口部１５，１６との間が開くように開口部１５，１６を外側へ傾けるように可動可能とされてもよい。
【００４９】
［第２実施形態］
次に、本発明の第２実施形態に係るエアベント装置１０について説明する。以下の説明では、主に第１実施形態との相違点について説明し、第１実施形態と共通性を有する構成については同一の符号を付してその説明を省略する。
【００５０】
図４は、本発明の第２実施形態に係るエアベント装置１０の本体１１の側断面図である。
図４において、第二リブ部１８についての左右両側の部分による傾斜面は、第一リブ部１７についての左右両側の部分による傾斜面と比べて、鉛直方向に対して大きな角度で傾斜している。
【００５１】
よって、図４に示すように、本体１１を車室４の外側へ少し傾けた第一外倒位置では、第一閉部材１９が第一リブ部１７から離れ、第二閉部材２０は第二リブ部１８と当接した状態となる。この場合、車室４の内外の圧力差などが無い無負荷状態において、第一開口部１５のみが開く。
【００５２】
また、本体１１を車室４の外側へ更に傾けた第二外倒位置では、第一閉部材１９が第一リブ部１７から離れ、第二閉部材２０が第二リブ部１８から離れる。この場合、無負荷状態において、第一開口部１５および第二開口部１６が共に開く。
【００５３】
このように第一開口部１５と第二開口部１６とは、本体１１についての異なる傾斜角度において開くことになる。
【００５４】
この場合、制御部２３は、自動車１の状態に応じて、アクチュエータ２１を用いて本体１１を駆動して、本体１１を初期位置、内倒位置、第一外倒位置、または第二外倒位置に位置決めする。自動車１の状態に応じて、通気状態をきめ細かく制御することが可能になる。
【００５５】
そして、たとえば、自動車１が停車している状態であることがセンサ群２２により検出された場合、自動車１のシフトレバーがパーキングレンジに設定されている状態であることがセンサ群２２により検出された場合、または、自動車１が風圧により傾斜していない状態であることがセンサ群２２により検出された場合、制御部２３は、アクチュエータ２１を用いて本体１１を駆動して、本体１１を第一外倒状態に位置決めする。これにより、第一閉部材１９と第一リブ部１７との間のみに空間が形成され、第二閉部材２０と第二リブ部１８との間に空間が形成されない。第一開口部１５により、ゆっくりとした換気が可能になる。
【００５６】
これに対して、自動車１の状態としてドアロックの解除がセンサ群２２により検出された場合、制御部２３は、アクチュエータ２１を用いて本体１１を駆動して、本体１１を第二外倒状態に位置決めする。これにより、第一閉部材１９と第一リブ部１７との間と、第二閉部材２０と第二リブ部１８との間との双方に、空間が形成される。第一開口部１５および第二開口部１６により、効率的な換気が可能になる。
【００５７】
ドア３を閉じた際の車室４の内圧が高くなり難くなる効果を損なうことなく、それ以外の場合には第一開口部１５によるゆっくりとした換気により、車室４内の環境が急激に変化しないように換気することができる。
【００５８】
本実施形態では、第一閉部材１９および第二閉部材２０が、本体１１についての異なる傾斜角度において第一開口部１５および第二開口部１６を開く。よって、本体１１を可動させて、第一開口部１５および第二開口部１６の中の一方のみを開いた状態と、双方を開いた状態とに設定することができる。これにより、本体１１の傾斜角度を調整して、一方の開口部１５，１６のみを開いて小さな通気を確保したり、双方の開口部１５，１６を開いて大きな通気を確保したり、これらを切り替えて通気の最適化を図ることができる。また、車室４の内外の圧力差が小さい場合には、一方の開口部１５，１６のみを開き、大きい場合には双方の開口部１５，１６を開くようにできる。圧力差に応じた通気量を確保できる。必要以上の換気を抑制しつつ、圧力差をその大きさにかかわらず早期に解消することができる。
なお、本実施形態では、本体１１の外倒位置を複数にしたが、内倒位置を複数にしてもよい。角度が大きい深い内倒位置では、浅い内倒位置と比べて、開口部１５，１６の上に閉部材１９，２０が乗るようになる。
【００５９】
以上の実施形態は、本発明の好適な実施形態の例であるが、本発明は、これに限られることはなく、発明の要旨を逸脱しない範囲において種々の変形または変更が可能である。
【００６０】
たとえば上記実施形態において、制御部２３は、自動車１の状態に応じて、本体１１を、初期位置、内倒位置、外倒位置などに位置決めされている。
この他にもたとえば、制御部２３は、自動車１の状態に応じて、本体１１を、その可動範囲内の任意の位置に位置決めしてもよい。
【００６１】
上記実施形態では、開口部１５，１６の各々は、１枚の閉部材１９，２０により塞がれている。この他にもたとえば、各々の開口部１５，１６に対して、複数枚の閉部材を重ねて塞ぐようにしてもよい。また、重ねられる複数枚の閉部材は異なる可撓特性に形成されてもよい。
【００６２】
上記実施形態では、本体１１の略矩形形状の枠部１２の内側には、板状の閉塞部１３が設けられている。この他にも、枠部１２の内側には、板状の閉塞部１３の外側となるように、カバー部材を設けてもよい。たとえば第一閉部材１９の外側にカバー部材を設けることにより、第一開口部１５から音が進入しにくくなる。たとえば第２実施形態の第一外倒位置において、開いた第一開口部１５から音が進入し難くなる。第一外倒位置での遮音性能を向上させることができる。
【００６３】
上記実施形態では基本的に内燃機関を走行の動力源として使用する自動車を想定しているが、本発明は、モータによる電気的な動力源を使用または併用する自動車においても適用可能である。特にバッテリの蓄電電力を利用して走行する電気自動車では、バッテリの蓄電電力を効率よく且つ無駄を抑えて利用することが求められる。本発明は、たとえば空調装置と連動させて本体１１を可動制御することにより、バッテリの蓄電電力の効率的利用に寄与することができる。
【符号の説明】
【００６４】
１…自動車（車両）、２…車体、３…ドア、４…車室、５…貫通孔、６…後バンパー部材、１０…エアベント装置、１１…本体、１２…枠部、１３…閉塞部、１４…フランジ部、１５…第一開口部、１６…第二開口部、１７…第一リブ部、１８…第二リブ部、１９…第一閉部材、２０…第二閉部材、２１…アクチュエータ、２２…センサ群、２３…制御部
【図１】
2019119334.tif 000003
【図２】
2019119334.tif 000004
【図３】
2019119334.tif 000005
【図４】
2019119334.tif 000006